(57)【要約】【課題】簡易かつ短期間で捕捉体を設置することができる捕捉体の設置方法および捕捉体を提供することである。【解決手段】捕捉体１の設置方法は、河川の上流から流されてくる流動物を捕捉する捕捉部３と重量物２とを連結部材４によって連結する工程と、捕捉部３を河床ａに載置する工程と、重量物２を河床ａに載置する工程と、を含む。【選択図】図２
2020016070.tif 000002
【特許請求の範囲】
【請求項１】
河川の上流から流されてくる流動物を捕捉する捕捉部と重量物とを連結部材によって連結する工程と、前記捕捉部を河床に載置する工程と、前記重量物を河床に載置する工程と、を含む
捕捉体の設置方法。
【請求項２】
前記重量物を前記河床に載置する工程は、前記河川の流れ方向と直交する方向において前記捕捉部と重なる位置または前記捕捉部よりも上流側に前記重量物を配置することを含む
請求項１に記載の捕捉体の設置方法。
【請求項３】
前記重量物とは別の第２の重量物と前記捕捉部とを第２連結部材によって連結する工程を含む
請求項１又は２に記載の捕捉体の設置方法。
【請求項４】
前記捕捉部とは別の捕捉部であって、前記河川の上流から流されてくる流動物を捕捉する第２の捕捉部と前記重量物とを第２連結部材によって連結する工程を含む
請求項１又は２に記載の捕捉体の設置方法。
【請求項５】
前記重量物として、前記河床との間の摩擦係数が０．５〜０．６となる重量物が選定される
請求項１〜４のいずれか１項に記載の捕捉体の設置方法。
【請求項６】
河川の上流から流されてくる流動物を捕捉する捕捉部と敷物とを連結部材によって連結する工程と、前記捕捉部を河床に載置する工程と、前記敷物を河床に載置し、その敷物に重量物を載置する工程と、を含む
捕捉体の設置方法。
【請求項７】
前記敷物を前記河床に載置する工程は、前記河川の流れ方向と直交する方向において前記捕捉部と重なる位置または前記捕捉部よりも上流側に前記敷物を配置することを含む
請求項６に記載の捕捉体の設置方法。
【請求項８】
前記敷物とは別の第２の敷物と前記捕捉部とを第２連結部材によって連結する工程と、
前記第２の敷物を前記河床に載置する工程と、
前記河床に載置された前記第２の敷物に前記重量物とは別の第２の重量物を載置する工程と、を含む
請求項６又は７に記載の捕捉体の設置方法。
【請求項９】
前記捕捉部とは別の捕捉部であって、前記河川の上流から流されてくる流動物を捕捉する第２の捕捉部と前記敷物とを第２連結部材によって連結する工程を含む
請求項６又は７に記載の捕捉体の設置方法。
【請求項１０】
前記敷物として、前記河床との間の摩擦係数が０．５〜０．６となるものが選定される
請求項６〜９のいずれか１項に記載の捕捉体の設置方法。
【請求項１１】
河川の上流から流されてくる流動物を捕捉する捕捉部と敷物とを連結部材によって連結する工程と、前記捕捉部を河床に載置する工程と、前記敷物の少なくとも一部分を前記河床に埋設する工程と、を含む
捕捉体の設置方法。
【請求項１２】
前記敷物の少なくとも一部分を前記河床に埋設する工程は、前記河川の流れ方向と直交する方向において前記捕捉部と重なる位置または前記捕捉部よりも上流側に前記敷物を配置することを含む
請求項１１に記載の捕捉体の設置方法。
【請求項１３】
前記敷物とは別の第２の敷物と前記捕捉部とを第２連結部材によって連結する工程と、
前記第２の敷物の少なくとも一部分を埋設する工程と、を含む
請求項１１又は１２に記載の捕捉体の設置方法。
【請求項１４】
前記捕捉部とは別の捕捉部であって、前記河川の上流から流されてくる流動物を捕捉する第２の捕捉部と前記敷物とを第２連結部材によって連結する工程を含む
請求項１１又は１２に記載の捕捉体の設置方法。
【請求項１５】
前記敷物は、ゴム、金網、網状に編まれた鎖またはジオテキスタイルによって形成されている
請求項６〜１４のいずれか１項に記載の捕捉体の設置方法。
【請求項１６】
前記連結部材は、チェーン、ワイヤーまたはロープのいずれかである
請求項１〜１５のいずれか１項に記載の捕捉体の設置方法。
【請求項１７】
河床に載置される重量物と、
前記河床に横たわる状態で載置されるベース部および前記ベース部から立ち上がる複数の柱部を有する捕捉部と、
前記重量物と前記捕捉部とを連結した連結部材と、を備える
捕捉体。
【請求項１８】
敷物と
河床に横たわる状態で載置されるベース部および前記ベース部から立ち上がる複数の柱部を有する捕捉部と、
前記敷物と前記捕捉部とを連結した連結部材と、を備える
捕捉体。
【発明の詳細な説明】
【技術分野】
【０００１】
本発明は、捕捉体の設置方法および捕捉体に関する。
【背景技術】
【０００２】
従来から、河川の上流から流れてくる流木などを捕捉するために、河川の河床に捕捉体が設置されている。このような捕捉体の設置方法としては、例えば、特許文献１に記載のものが知られている。特許文献１の捕捉体の設置方法は、既存の堰堤の上流側に堆積した土砂を堰堤の延在方向に沿って掘削する掘削工程と、掘削した穴にコンクリートを打設するコンクリート打設工程と、打設したコンクリートが固化するまでに捕捉体を形成する柱部の下端部をコンクリートに埋設し、コンクリートが固化するまで養生する養生工程と、を備える。
【先行技術文献】
【特許文献】
【０００３】
【特許文献１】特開２０１７−７２０２０号公報
【発明の概要】
【発明が解決しようとする課題】
【０００４】
上記捕捉体の設置方法では、コンクリートを打設するための掘削穴を掘削する作業や、掘削穴にコンクリートを打設する作業が必要になるので、捕捉体の設置作業が煩雑となり、設置工期が長くなるという問題がある。
【０００５】
そこで、本発明は、上記の課題に基づいてなされたものであり、その目的は、簡易かつ短期間で捕捉体を設置することができる捕捉体の設置方法および捕捉体を提供することである。
【課題を解決するための手段】
【０００６】
本発明に係る捕捉体の設置方法は、河川の上流から流されてくる流動物を捕捉する捕捉部と重量物とを連結部材によって連結する工程と、前記捕捉部を河床に載置する工程と、前記重量物を河床に載置する工程と、を含む。
【０００７】
この構成によれば、捕捉体の設置方法は、河川の上流から流されてくる流動物を捕捉する捕捉部と重量物とを連結部材によって連結する工程を含む。そのため、捕捉部と重量物とを河床に載置するだけで済むので、捕捉部と重量物とを河床に載置する載置面を整える作業を省略することができ、簡易かつ短期間で捕捉体を設置することができる。さらに、河川工事などによる河床の変化（例えば、沈下）によって重量物や捕捉部の位置がずれても、このずれに伴って連結部材が追従しやすいので、このずれに伴って生じる歪を抑制することができる。そのため、捕捉体の寿命を延ばすことができる。
【０００８】
上記構成において、前記重量物を前記河床に載置する工程は、前記河川の流れ方向と直交する方向において前記捕捉部と重なる位置または前記捕捉部よりも上流側に前記重量物を配置することを含んでもよい。
【０００９】
この構成によれば、流木などの流動物の衝突や流体力による外力が重量物から離れる方向に捕捉部に作用しやすくなるので、重量物は、捕捉部を連結部材によって引っ張った状態で支えることができる。そのため、捕捉部の位置がずれにくくなり、捕捉部の設置状態が安定化する。
【００１０】
上記構成において、前記重量物とは別の第２の重量物と前記捕捉部とを第２連結部材によって連結する工程を含んでもよい。
【００１１】
この構成によれば、捕捉部は、重量物に加えて第２の重量物によっても支えられるので、捕捉部に作用する外力が大きくても、捕捉部は流されにくくなる。そのため、捕捉部の設置状態が安定化する。
【００１２】
上記構成において、前記捕捉部とは別の捕捉部であって、前記河川の上流から流されてくる流動物を捕捉する第２の捕捉部と前記重量物とを第２連結部材によって連結する工程を含んでもよい。
【００１３】
この構成によれば、捕捉部と第２捕捉部とに作用する外力が重量物によって支えられるので、捕捉部と第２捕捉部を足し合わせた設置数に対して重量物の設置数が少ない。そのため、より短期間かつ低コストで捕捉体を設置することができる。
【００１４】
上記構成において、前記重量物として、前記河床との間の摩擦係数が０．５〜０．６となる重量物が選定されてもよい。
【００１５】
この構成によれば、重量物と河床との間の摩擦力によって重量物が河床に対して動きにくくなるので、重量物は、捕捉部に作用する外力をより効果的に支えることができる。そのため、捕捉部の設置状態がより安定化する。
【００１６】
本発明に係る捕捉体の設置方法は、河川の上流から流されてくる流動物を捕捉する捕捉部と敷物とを連結部材によって連結する工程と、河川の上流から流されてくる流動物を捕捉する捕捉部と敷物とを連結部材によって連結する工程と、前記捕捉部を河床に載置する工程と、前記敷物を河床に載置し、その敷物に重量物を載置する工程と、を含む。
【００１７】
この構成によれば、捕捉体の設置方法は、河川の上流から流されてくる流動物を捕捉する捕捉部と敷物とを連結部材によって連結することを含むので、連結部材を重量物に連結する場合と比べて、コンクリートブロックのような硬い重量物に連結するための接続金具が必要なくなる。さらに、捕捉体の設置方法は、河床に載置された敷物に重量物を載置するので、現場にある岩石などを重量物として敷物に載置することができる。そのため、例えば、コンクリートブロックのような製造物を準備する作業を省略することができる。さらに、河床に載置された敷物に重量物を載置するだけで済むので、捕捉部と敷物とを河床に載置する載置面を整える作業を省略することができる。したがって、重量物と連結部材とを連結する場合に比べて、簡易かつ短期間に捕捉体を設置することができる。さらに、河川工事などによる河床の変化（例えば、沈下）によって捕捉部や敷物の位置がずれても、このずれに伴って連結部材が追従しやすいので、このずれに伴って生じる歪を抑制することができる。そのため、捕捉体の寿命を延ばすことができる。
【００１８】
上記構成において、前記敷物を前記河床に載置する工程は、前記河川の流れ方向と直交する方向において前記捕捉部と重なる位置または前記捕捉部よりも上流側に前記敷物を配置することを含んでもよい。
【００１９】
この構成によれば、流木などの流動物の衝突や流体力による外力が重量物から離れる方向に捕捉部に作用しやすくなるので、重量物は、捕捉部を連結部材によって引っ張った状態で支えることができる。そのため、捕捉部の位置がずれにくくなり、捕捉部の設置状態が安定化する。
【００２０】
上記構成において、前記敷物とは別の第２の敷物と前記捕捉部とを第２連結部材によって連結する工程と、前記第２の敷物を前記河床に載置する工程と、前記河床に載置された前記第２の敷物に前記重量物とは別の第２の重量物を載置する工程と、を含んでもよい。
【００２１】
この構成によれば、捕捉部は、重量物に加えて第２の重量物によっても支えられるので、捕捉部に作用する外力が大きくても、捕捉部は流されにくくなる。そのため、捕捉部の設置状態が安定化する。
【００２２】
上記構成において、前記捕捉部とは別の捕捉部であって、前記河川の上流から流されてくる流動物を捕捉する第２の捕捉部と前記敷物とを第２連結部材によって連結する工程を含んでもよい。
【００２３】
この構成によれば、捕捉部と第２の捕捉部とに作用する外力が重量物によって支えられるので、捕捉部と第２の捕捉部を足し合わせた設置数に対して重量物の設置数が少ない。そのため、より短期間かつ低コストで捕捉体を設置することができる。
【００２４】
上記構成において、前記敷物として、前記河床との間の摩擦係数が０．５〜０．６となるものが選定されてもよい。
【００２５】
この構成によれば、敷物と河床との間の摩擦力によって敷物が河床に対して動きにくくなるので、重量物は、捕捉部に作用する外力をより効果的に支えることができる。そのため、捕捉部の設置状態がより安定化する。
【００２６】
本発明に係る捕捉体の設置方法は、河川の上流から流されてくる流動物を捕捉する捕捉部と敷物とを連結部材によって連結する工程と、前記捕捉部を河床に載置する工程と、前記敷物の少なくとも一部分を前記河床に埋設する工程と、を含む。
【００２７】
この構成によれば、捕捉体の設置方法は、敷物の少なくとも一部分を埋設することを含むので、敷物は、河床の土砂によって固定される。そのため、現場に岩石などの大きな重量物がなくても、捕捉体を設置することができる。さらに、河川工事などによる河床の変化（例えば、沈下）によって捕捉部や敷物の位置がずれても、このずれに伴って連結部材が追従しやすいので、このずれに伴って生じる歪を抑制することができる。そのため、捕捉体の寿命を延ばすことができる。
【００２８】
上記構成において、前記敷物の少なくとも一部分を前記河床に埋設する工程は、前記河川の流れ方向と直交する方向において前記捕捉部と重なる位置または前記捕捉部よりも上流側に前記敷物を配置することを含んでもよい。
【００２９】
この構成によれば、流木などの流動物の衝突や流体力による外力が敷物から離れる方向に捕捉部に作用しやすくなるので、敷物は、捕捉部を連結部材によって引っ張った状態で支えることができる。そのため、捕捉部の位置がずれにくくなり、捕捉部の設置状態が安定化する。
【００３０】
上記構成において、前記敷物とは別の第２の敷物と前記捕捉部とを第２連結部材によって連結する工程と、前記第２の敷物の少なくとも一部分を埋設する工程と、を含んでもよい。
【００３１】
この構成によれば、捕捉部は、敷物に加えて第２の敷物によっても支えられるので、捕捉部に作用する外力が大きくても、捕捉部は流されにくくなる。そのため、捕捉部の設置状態が安定化する。
【００３２】
上記構成において、前記捕捉部とは別の捕捉部であって、前記河川の上流から流されてくる流動物を捕捉する第２の捕捉部と前記敷物とを第２連結部材によって連結する工程を含んでもよい。
【００３３】
この構成によれば、捕捉部と第２の捕捉部とに作用する外力が敷物によって支えられるので、捕捉部と第２の捕捉部を足し合わせた設置数に対して敷物の設置数が少ない。そのため、より短期間かつ低コストで捕捉体を設置することができる。
【００３４】
上記構成において、前記敷物は、ゴム、金網、網状に編まれた鎖またはジオテキスタイルによって形成されてもよい。
【００３５】
この構成によれば、敷物は、一般的に入手しやすいゴム、金網、網状に編まれた鎖またはジオテキスタイルによって形成されるので、短期間で敷物を作成することができる。そのため、より簡易かつ短期間に捕捉体を設置することができるようになるので、特に、洪水などにおいて緊急的に捕捉体の設置が必要になったときに対処しやすくなる。
【００３６】
上記構成において、前記連結部材は、チェーン、ワイヤーまたはロープのいずれかであってもよい。
【００３７】
この構成によれば、連結部材は、屈曲しやすくなるので、重量物、捕捉部や敷物の位置のずれに対してより追従しやすくなり、このずれに伴って生じる歪をより抑制することができる。
【００３８】
本発明に係る捕捉体は、河床に載置される重量物と、前記河床に横たわる状態で載置されるベース部および前記ベース部から立ち上がる複数の柱部を有する捕捉部と、前記重量物と前記捕捉部とを連結した連結部材と、を備える。
【００３９】
この構成によれば、捕捉体は、重量物と捕捉部とを連結した連結部材を備えるので、捕捉部と重量物とを河床に載置するだけで設置することができる。そのため、捕捉部と重量物とを河床に載置する載置面を整える作業を省略することができるので、簡易かつ短期間で捕捉体を設置することができる。さらに、河川工事などによる河床の変化（例えば、沈下）によって重量物や捕捉部の位置がずれても、このずれに伴って連結部材が追従しやすいので、このずれに伴って生じる歪を抑制することができる。そのため、捕捉体の寿命を延ばすことができる。
【００４０】
本発明に係る捕捉体は、敷物と、河床に横たわる状態で載置されるベース部および前記ベース部から立ち上がる複数の柱部を有する捕捉部と、前記敷物と前記捕捉部とを連結した連結部材と、を備える。
【００４１】
この構成によれば、捕捉体は、敷物と捕捉部とを連結した連結部材を備えるので、捕捉部と敷物とを河床に載置し、その敷物に現場にある岩石などの重量物を載置するか、または、敷物を河床に埋設するだけで設置することができる。そのため、敷物に重量物を載置する場合には、捕捉部や敷物を河床に載置する載置面を整える作業を省略することができるので、簡易かつ短期間で捕捉体を設置することができる。一方、敷物を河床に埋設する場合には、敷物は、河床の土砂によって固定される。そのため、現場に岩石などの大きな重量物がなくても、捕捉体を設置することができる。さらに、河川工事などによる河床の変化（例えば、沈下）によって捕捉部や敷物の位置がずれても、このずれに伴って連結部材が追従しやすいので、このずれに伴って生じる歪を抑制することができる。そのため、捕捉体の寿命を延ばすことができる。
【発明の効果】
【００４２】
本発明によれば、簡易かつ短期間で捕捉体を設置することができる捕捉体の設置方法および捕捉体を提供することができる。
【図面の簡単な説明】
【００４３】
【図１】本発明の第１実施形態に係る捕捉体の平面図である。
【図２】本発明の第１実施形態に係る捕捉体の側面図である。
【図３】本発明の第１実施形態の変形例に係る捕捉体の平面図である。
【図４】本発明の第１実施形態の変形例に係る捕捉体の他の平面図である。
【図５】本発明の第１実施形態の変形例に係る捕捉体の他の平面図である。
【図６】本発明の第２実施形態の捕捉体の平面図である。
【図７】本発明の第２実施形態の捕捉体の設置状態を示す平面図である。
【図８】本発明の第２実施形態の捕捉体の設置状態を示す側面図である。
【図９】本発明の第２実施形態の変形例に係る捕捉体の平面図である。
【図１０】本発明の第２実施形態の変形例に係る捕捉体の他の平面図である。
【図１１】本発明の第３実施形態に係る捕捉体の設置状態を示す側面図である。
【図１２】本発明の第３実施形態の変形例に係る捕捉体の平面図である。
【図１３】本発明の第３実施形態の変形例に係る捕捉体の他の平面図である。
【発明を実施するための形態】
【００４４】
以下、本発明の各実施形態について、図面を参照しながら説明する。但し、以下で参照する各図は、説明の便宜上、本発明の実施形態に係る捕捉体１を説明するために必要となる主要な構成要素を簡略化して示したものである。したがって、本発明の各実施形態に係る捕捉体１は、本明細書が参照する各図に示されていない任意の構成要素を備え得る。
【００４５】
（第１実施形態）
以下、図１、２を参照しながら、第１実施形態の捕捉体１について説明する。捕捉体１は、河川内に配置され、河川の上流から流されてくる流木や土石流などの流動物を捕捉するものである。捕捉体１は、河川の河床ａに載置される重量物２と、河川の河床ａに載置され、河川の上流から流されてくる流動物を捕捉する捕捉部３と、重量物２と捕捉部３とを連結した連結部材４と、を備える。尚、各平面図において、上側が上流、下側が下流である。
【００４６】
重量物２は、コンクリートブロックによって構成されている。本実施形態では、重量物２は、平面視において正方形状を有する直方体状に形成されているが、その形状は、特に限定されることはない。重量物２は、その側壁に取り付けられ、連結部材４と連結するための接続金具５を有する。図１の例では、接続金具５は、コンクリートブロックに４つ設けられているが、接続金具５の数は限定されない。尚、重量物２は、コンクリートブロックに限定されることはなく、河床ａに載置された際に、捕捉部３に作用する外力（例えば、流木などの流動物の衝突や土石流などの流体力による外力）を支えることができ、かつ、連結部材４を連結できるものであれば、いずれのものでもよい。
【００４７】
捕捉部３は、河川の河床ａに横たわる状態で載置されるベース部６と、ベース部６から立ち上がる複数の柱部７と、柱部７同士を連結する横桟部材１２と、柱部７を支持する支持部１３と、ベース部６から柱部７とは反対側に延び、河床ａに埋められる抵抗部８と、を有する。
【００４８】
ベース部６は、所定間隔を空けて平行に延びる一対のベース基材９と、一対のベース基材９の端部に接続されて、ベース基材９同士を互いに連結する一対の連結基材１０と、を有し、全体で略矩形枠状に形成されている。尚、各実施形態において、ベース基材９の離間する方向をベース部６の幅方向とする。
【００４９】
一対のベース基材９は、鋼管を連結することによって形成されている。具体的には、鋼管の端末部には、フランジ部１１が形成されており、このフランジ部１１をボルト等で締結することにより連結されているが、これに限定されるものではない。各ベース基材９は、１本の鋼管によって構成されてもよい。  各連結基材１０は、鋼管によって構成されている。各連結基材１０は、一対のベース基材９の延びる方向とほぼ直交する姿勢で、一対のベース基材９に溶接されることによって連結されている。
【００５０】
複数の柱部７は、一対のベース基材９の略中央部に略直角に立ち上がるように連結され、河川の上流から流されてくる流木などの流動物が衝突することによって流動物を捕捉するものである。本実施形態では、２本の柱部７が一対のベース基材９に連結されている。各柱部７は、鋼管を連結することによって形成されている。図２の例では、フランジ部１４を有する２本の鋼管が、このフランジ部１４でボルト等によって締結されることにより各柱部７が形成されているが、これに限定されるものではない。各柱部７は、１本の鋼管によって構成されてもよい。
【００５１】
横桟部材１２は、ベース部６の幅方向に延びる鋼管によって構成されている。横桟部材１２は、柱部７の延びる方向と直交する姿勢で、横桟部材１２の両端部分が柱部７と溶接されることにより柱部７と連結されている。図２の例では、横桟部材１２は、柱部７の延びる方向に所定の間隔を空けて３つ設けられているが、その数は限定されることはない。また、横桟部材１２は、省略されていてもよい。
【００５２】
支持部１３は、一端部が柱部７の上端における重量部２とは反対側の面、または、柱部７の上端と下端との間の中間部における重量部２とは反対側の面に連結されるとともに、他端部がベース基材９における柱部７から重量部２とは反対方向に離れた位置に連結されることにより、柱部７が倒れないように支持している。本実施形態では、各柱部７を支持するため、２本の支持部１３が設けられている。各支持部１３は、図１、２の例では、略Ｌ字状に曲げられた鋼管と、ベース基材９に対して柱部７側に傾斜する方向に延びる鋼管とが、それぞれのフランジ部１５を付き合わせた状態でボルト等によって連結されることによって構成されている。各支持部１３は、その一方端が柱部７に溶接されることによって連結されており、他方端がベース基材９に溶接されることによって連結されている。尚、各支持部１３は、１本の鋼管によって構成されてもよい。また、各支持部１３は、省略されていてもよい。
【００５３】
抵抗部８は、ベース基材９の略中央部において柱部７とは反対側に延びるようにベース基材９に連結された脚部１８と、脚部１８からベース部６の幅方向に延びる横桟部材１６と、を有する。抵抗部８は、河床ａに埋められることにより、河床ａに載置されるベース部６の河川水の流れる方向の移動を抑制するものである。例えば、河川の上流から流されてくる流木などの流動物が柱部７に衝突することにより、ベース部６が柱部７を介して河川水の流れる方向の力を受けると、抵抗部８が河床ａ内で抵抗となるため、ベース部６の移動を抑制することができる。
【００５４】
脚部１８は、ベース基材９の延びる方向と直交する姿勢でベース基材９に溶接されることによって連結されている。本実施形態では、ベース基材９の延びる方向に間隔を空けて２つの脚部１８が各ベース基材９に設けられているが（図２参照）、脚部１８の数はこれに限定されることはない。脚部１８は、省略されていてもよい。横桟部材１６は、ベース部６の幅方向に対向する１組の脚部１８にそれぞれ連結されている。尚、横桟部材１６は、省略されていてもよい。また、横桟部材１６は、脚部１８が省略される場合には、脚部１８とともに省略される。
【００５５】
連結部材４は、チェーンなどの屈曲しやすい部材によって構成されている。連結部材４は、屈曲しやすく捕捉部３と重量物２とに連結できるものであれば、例えば、ワイヤーやロープであってもよい。
【００５６】
連結部材４の一端は、捕捉部３の柱部７に対して支持部１３とは反対側の連結基材１０に巻き付けられ、この状態で固定されている。連結部材４の他端は、重量物２の側壁に取り付けられた接続金具５に引っ掛けられることにより、重量物２に固定されている。本実施形態では、連結部材４は、ベース部６の幅方向に一定の間隔を空けて４つ設けられているが、連結部材４の数は限定されない。
【００５７】
上記のように構成された第１実施形態の捕捉体１の設置方法について説明する。
【００５８】
まず、重量物２を準備するとともに捕捉部３を準備する準備工程が行われる。準備工程では、作業者は、重量物２として、河床ａとの間の摩擦係数が０．５〜０．６となる重量物を選定する。本実施形態では、河床ａとの間の摩擦係数が０．５〜０．６となるコンクリートブロックが選定される。次に、作業者は、重量物２としてのコンクリートブロックの側壁に接続金具５を取り付ける。本実施形態では、作業者は、コンクリートブロックの側壁に一定の間隔を空けて４つの接続金具５を取り付ける。
【００５９】
次に、捕捉部３と重量物２とを連結部材４によって連結する連結工程が行われる。本実施形態では、図１、２に示すように、４本の連結部材４を用いて連結が行われる。具体的には、まず、作業者は、捕捉部３の柱部７に対して支持部１３とは反対側の連結基材１０に連結部材４の一端側を巻き付けて、この状態で連結部材４の端部のフック１７を連結部材４に引っ掛ける。これにより、連結部材４が捕捉部３に連結される。次に、作業者は、連結部材４の他端を重量物２としてのコンクリートブロックの側壁に取り付けた接続金具５に引っ掛けることにより、連結部材４を重量物２に連結する。捕捉部３と重量物２との連結部材４による連結は、本実施形態では、ベース部６の幅方向に一定の間隔を空けて４箇所行っている。
【００６０】
連結工程が終了すると、捕捉部３を河床ａに載置する捕捉部載置工程と、重量物２を河床ａに載置する重量物載置工程と、が同時に行われる。重量物載置工程では、捕捉部３よりも上流側に重量物２が載置される（図１参照）。作業者は、河床ａに捕捉部３を載置するとき、手作業などにより簡略的に捕捉部３の抵抗部８を土砂で埋める。尚、抵抗部８が省略されている場合には、抵抗部８を土砂で埋める作業は省略される。また、重量物２は、河床ａに載置されるだけでなく、その一部を河床ａ内に埋まるようにしてもよい（図２参照）。また、作業者は、捕捉部３と重量物２を河床ａに載置する際に、捕捉部３と重量物２を河床ａに載置しやすくなるように河床ａを簡略的に整地してもよい。
【００６１】
尚、重量物載置工程は、連結工程を行う前に行ってもよい。この場合は、作業者は、まず、重量物２を河床ａに載置し（上記重量物載置工程）、次いで、捕捉部３を河床ａに載置する（捕捉部載置工程）。そして、その後、連結部材４を捕捉部３に連結するとともに重量物２に連結する（上記連結工程）。また、この場合、上記捕捉部載置工程は、上記重量物載置工程を行う前に行ってもよい。
【００６２】
上記捕捉体１の設置方法によれば、上記連結工程において、捕捉部３と重量物２とを連結部材４によって連結しているので、捕捉部３と重量物２とを河床ａに載置するだけで済む。そのため、捕捉部３と重量物２とを河床ａに載置する載置面を整える作業を省略または簡略化することができるので、簡易かつ短期間で捕捉体を設置することができる。さらに、河川工事などによる河床ａの変化（例えば、沈下）によって重量物２や捕捉部３の位置がずれても、このずれに伴って連結部材４が追従しやすいので、このずれに伴って生じる歪を抑制することができる。そのため、捕捉体１の寿命を延ばすことができる。
【００６３】
上記捕捉体１の設置方法によれば、上記重量物載置工程において、捕捉部３よりも上流側に重量物２が載置されるので、流木などの流動物の衝突や流体力による外力が重量物２から離れる方向に捕捉部３に作用しやすくなるので、重量物２は、捕捉部３を連結部材４によって引っ張った状態で支えることができる。そのため、捕捉部３の位置がずれにくくなり、捕捉部３の設置状態が安定化する。
【００６４】
上記捕捉体１の設置方法によれば、重量物２として、河床ａとの間の摩擦係数が０．５〜０．６となる重量物が選定されるので、重量物２と河床ａとの間の摩擦力によって重量物２が河床ａに対して動きにくい。そのため、重量物２は、捕捉部３に作用する外力を効果的に支えることができるので、捕捉部３の設置状態が安定化する。
【００６５】
上記捕捉体１の設置方法によれば、連結部材４は、チェーンで形成されているので、屈曲しやすい。そのため、重量物２や捕捉部３の位置のずれに対して追従しやすく、このずれに伴って生じる歪を効果的に抑制することができる。
【００６６】
以上に説明した第１実施形態の捕捉体１の設置方法は、本発明の一実施形態であり、その具体的構成については、本発明の趣旨を逸脱しない範囲で適宜変更可能である。以下、第１実施形態の変形例について説明する。
【００６７】
第１実施形態の捕捉体１の設置方法では、上記重量物載置工程において、重量物２は、捕捉部３よりも上流側に載置されたが、図３に示すように、河川の流れ方向と直交する方向において捕捉部３と重なる位置に載置されてもよい。
【００６８】
第１実施形態の捕捉体１の設置方法では、上記連結工程において、捕捉部３と重量物２とが連結部材４によって連結されたが、図４に示すように、重量物２とは別の第２の重量物２１と捕捉部３とが第２連結部材２２によってさらに連結されてもよい。第２の重量物２１は、重量物２と同様の構成のものである。第２連結部材２２は、上記連結部材４と同様の構成のものである。この場合、第２の重量物２１と捕捉部３との第２連結部材２２による連結は、上記連結工程と同様の方法により行われる。第２の重量物２１の河床ａへの載置は、上記重量物載置工程と同様の方法により行われる。
【００６９】
このようにすると、捕捉部３は、重量物２に加えて第２の重量物２１によっても支えられるので、捕捉部３に作用する外力が大きくても、捕捉部３は流されにくくなる。そのため、捕捉部３の設置状態が安定化する。この変形例の捕捉体の設置方法は、河川の流体力が大きい場合に特に好ましい。
【００７０】
第１実施形態の捕捉体１の設置方法では、上記連結工程において、捕捉部３と重量物２とが連結部材４によって連結されたが、図５に示すように、捕捉部３とは別の捕捉部であって、河川の上流から流されてくる流動物を捕捉する第２の捕捉部２３と重量物２とを第２連結部材２２によってさらに連結してもよい。第２の捕捉部２３は、上記捕捉部３と同様の構成のものである。この場合、第２の捕捉部２３と重量物２との第２連結部材２２による連結は、上記連結工程と同様の方法により行われる。第２の捕捉部２３の河床ａへの載置は、上記捕捉部載置工程と同様の方法により行われる。
【００７１】
このようにすると、捕捉部３と第２の捕捉部２３とに作用する外力が重量物２によって支えられるので、捕捉部３と第２の捕捉部２３を足し合わせた設置数に対して重量物２の設置数が少ない。そのため、より短期間かつ低コストで捕捉体を設置することができる。この変形例の捕捉体の設置方法は、河川の流体力が小さい場合に特に好ましい。
【００７２】
（第２実施形態）
次に、第２実施形態の捕捉体３１について説明する。第２実施形態の捕捉体３１は、図６に示すように、敷物３２を備える点、連結部材４が重量物２ではなく敷物３２に連結される点、重量物２が省略されている点で、第１実施形態の捕捉体１と相違している。第１実施形態の捕捉体１と対応する要素については、第１実施形態と同様の符号を付して、その説明を省略する。
【００７３】
敷物３２は、矩形状に形成された金網によって構成され、重量物２が載置されるものである。敷物３２の縁部には、連結部材４の他端が引掛けられることにより、連結部材４が敷物３２に連結されている。本実施形態では、捕捉部３のベース部６の幅方向に一定の間隔を空けて４本の連結部材４が敷物３２に連結されているが、連結部材４の数は限定されない。尚、敷物３２は、金網に限定されることはなく、重量物２を載置可能なものであって、連結部材４が連結できるものであれば、例えば、ゴム、網状に編まれた鎖またはジオテキスタイルによって形成されてもよい。
【００７４】
次に、上記のように構成された第２実施形態の捕捉体３１の設置方法について説明する。第２実施形態の捕捉体３１の設置方法は、上記準備工程において、重量物２を準備する作業が省略される代わりに、敷物３２を準備する作業が行われる点で第１実施形態と相違している。さらに、第２実施形態の捕捉体３１の設置方法は、上記重量物載置工程に代えて、敷物重量物載置工程が行われる点で第１実施形態と相違している。第１実施形態の捕捉体１の設置方法と同様の部分については、その説明を省略する。
【００７５】
作業者は、まず、準備工程において、敷物３２を準備する作業を行う。このとき、作業者は、敷物３２として、河床ａとの間の摩擦係数が０．５〜０．６となるものを選定する。本実施形態では、敷物３２として、河床ａとの間の摩擦係数が０．５〜０．６となる金網が選定される。
【００７６】
準備工程が終了すると、捕捉部３と敷物３２とを連結部材４によって連結する連結工程が行われる。具体的には、作業者は、連結部材４の他端を敷物３２の縁部に引っ掛けることにより、連結部材４を敷物３２に連結する。本実施形態では、４本の連結部材４を敷物３２に連結している。尚、連結部材４と捕捉部３との連結部材４による連結方法は、第１実施形態と同様であるので、省略する。
【００７７】
連結工程が終了すると、捕捉部３を河床ａに載置する捕捉部載置工程と、敷物３２を河床ａに載置し、その敷物３２に重量物２を載置する敷物重量物載置工程と、が同時に行われる。このとき、図７に示すように、捕捉部３よりも上流側に敷物３２が載置される。尚、作業者は、捕捉部３と敷物３２を河床ａに載置する際に、捕捉部３と敷物３２を河床ａに載置しやすくなるように河床ａを簡略的に整地してもよい。
【００７８】
作業者は、敷物３２を河床ａに載置した後、その敷物３２に重量物２を載置する。このとき、現場にある岩石などが重量物２として敷物３２に載置される。尚、重量物２は、第１実施形態のように予め準備されたコンクリートブロックであってもよい。また、重量物２が敷物３２に載置されるだけでなく、重量物２の一部が河床ａに埋まるようにしてもよい（図８参照）。
【００７９】
尚、敷物重量物載置工程は、連結工程を行う前に行ってもよい。この場合、作業者は、まず、敷物３２を河床ａに載置し、この敷物３２に重量物２を載置する（上記敷物重量物載置工程）。次いで、捕捉部３を河床ａに載置する（上記捕捉部載置工程）。そして、その後、連結部材４を捕捉部３に連結するとともに敷物３２に連結する。また、この場合、捕捉部載置工程は、敷物重量物載置工程を行う前に行ってもよい。
【００８０】
第２実施形態の捕捉体３１の設置方法によれば、上記連結工程において、捕捉部３と敷物３２とを連結部材４によって連結しているので、連結部材４を重量物２に連結する第１実施形態と比べて、コンクリートブロックのような硬い重量物２に連結するための接続金具５が不要である。さらに、第２実施形態の捕捉体３１の設置方法は、河床ａに載置された敷物３２に重量物２を載置するので、現場にある岩石などを重量物２として敷物３２に載置することができる。そのため、例えば、コンクリートブロックのような製造物を準備する作業を省略することができる。さらに、河床ａに載置された敷物３２に重量物２を載置するだけで済むので、捕捉部３と敷物３２とを河床ａに載置する載置面を整える作業を省略または簡略化することができる。したがって、重量物２と連結部材４とを連結する第１実施形態と比べて、簡易かつ短期間に捕捉体を設置することができる。さらに、河川工事などによる河床ａの変化（例えば、沈下）によって捕捉部３や敷物３２の位置がずれても、このずれに伴って連結部材４が追従しやすいので、このずれに伴って生じる歪を抑制することができる。そのため、捕捉体の寿命を延ばすことができる。
【００８１】
第２実施形態の捕捉体３１の設置方法によれば、上記敷物重量物載置工程において、捕捉部３よりも上流側に敷物３２が載置されるので、流木などの流動物の衝突や流体力による外力が重量物２から離れる方向に捕捉部３に作用しやすくなる。そのため、重量物２は、捕捉部３を連結部材４によって引っ張った状態で支えることができるので、捕捉部３の位置がずれにくくなり、捕捉部３の設置状態が安定化する。
【００８２】
第２実施形態の捕捉体３１の設置方法によれば、敷物３２として、河床ａとの間の摩擦係数が０．５〜０．６となるものが選定されるので、敷物３２と河床ａとの間の摩擦力によって敷物３２が河床ａに対して動きにくい。そのため、重量物２は、捕捉部３に作用する外力をより効果的に支えることができるので、捕捉部３の設置状態がより安定化する。
【００８３】
上記捕捉体１の設置方法によれば、敷物３２は、一般的に入手しやすい金網によって形成されるので、短期間で敷物３２を作成することができ、より簡易かつ短期間に捕捉体を設置することができる。そのため、特に、洪水などにおいて緊急的に捕捉体の設置が必要になったときに対処しやすくなる。
【００８４】
次に、第２実施形態の変形例について説明する。
【００８５】
第２実施形態の捕捉体３１の設置方法では、上記敷物重量物載置工程において、敷物３２は、捕捉部３よりも上流側に載置されたが、河川の流れ方向と直交する方向（図７では左右方向）において捕捉部３と重なる位置に載置されてもよい。
【００８６】
第２実施形態の捕捉体３１の設置方法では、上記連結工程において、捕捉部３と敷物３２とが連結部材４によって連結されたが、図９に示すように、更に、敷物３２とは別の第２の敷物３３と捕捉部３とを第２連結部材２２によって連結する工程が行われてもよい。第２の敷物３３は、敷物３２と同様の構成のものである。第２の敷物３３には、重量物２とは別の第２の重量物２１が載置される。この場合、第２の敷物３３と捕捉部３との第２連結部材２２による連結は、上記連結工程と同様の方法により行われる。第２の敷物３３の河床ａへの載置は、上記敷物重量物載置工程と同様の方法により行われる。第２の敷物３３への第２の重量物２１の載置は、上記敷物重量物載置工程と同様の方法により行われる。
【００８７】
このようにすると、捕捉部３は、重量物２に加えて第２の重量物２１によっても支えられるので、捕捉部３に作用する外力が大きくても、捕捉部３は流されにくくなる。そのため、捕捉部３の設置状態が安定化する。この変形例の捕捉体の設置方法は、特に、河川の流体力が大きい場合に好ましい。
【００８８】
第２実施形態の捕捉体３１の設置方法では、上記連結工程において、捕捉部３と敷物３２とを連結部材４によって連結する工程が行われたが、さらに、図１０に示すように、捕捉部３とは別の捕捉部であって、河川の上流から流されてくる流動物を捕捉する第２の捕捉部２３と敷物３２とを第２連結部材２２によって連結する工程が行われてもよい。第２の捕捉部２３と敷物３２との第２連結部材２２による連結は、上記連結工程と同様の方法により行われる。第２の捕捉部２３の河床ａへの載置は、上記捕捉部載置工程と同様の方法により行われる。
【００８９】
このようにすると、捕捉部３と第２の捕捉部２３とに作用する外力が重量物２によって支えられるので、捕捉部３と第２の捕捉部２３を足し合わせた設置数に対して重量物２の設置数が少ない。そのため、より短期間かつ低コストで捕捉体を設置することができる。この変形例の捕捉体の設置方法は、特に、河川の流体力が小さい場合に好ましい。
【００９０】
（第３実施形態）
次に、第３実施形態の捕捉体３１の設置方法について説明する。第３実施形態の捕捉体３１の設置方法は、図６に示す第２実施形態の捕捉体３１が使用される点で第２実施形態と共通するが、上記敷物重量物載置工程の代わりに、図１１に示すように、敷物３２を河床ａに埋設する埋設工程が行われる点で第２実施形態と相違している。第２実施形態と対応する部分については、第２実施形態と同様の符号を付して、その説明を省略する。
【００９１】
第３実施形態の捕捉体３１の設置方法では、まず、第２実施形態と同様の準備工程と連結工程と捕捉部載置工程とが行われる。
【００９２】
次に、作業者は、河床ａに敷物３２を埋設する埋設工程を行う。埋設工程では、捕捉部３よりも上流側の位置に敷物３２が埋設される（図１１では右方が上流、左方が下流である）。このとき、作業者は、河床ａにおいて敷物３２を埋設する部分を掘削し、この掘削部分に敷物３２を河床ａの土砂によって完全に埋める。これにより、敷物３２は、土砂が堆積した状態となり、河床ａの土砂によって固定される。
【００９３】
尚、敷物３２が河床に埋設された状態で敷物３２の一部分が河床ａから露出していてもよい。この場合は、埋設工程を行った後に、上記連結工程が行われてもよい。すなわち、作業者は、まず、敷物３２を河床ａに埋設し（上記埋設工程）、次いで、捕捉部３を河床ａに載置する（上記捕捉部載置工程）。そして、その後、作業者は、連結部材４を捕捉部３に連結するとともに、敷物３２において河床ａから露出している部分に連結する。また、この場合、上記捕捉部載置工程は、上記埋設工程を行う前に行ってもよい。
【００９４】
第３実施形態の捕捉体３１の設置方法によれば、敷物３２は、河床ａに埋設されるので、河床ａの土砂によって固定される。そのため、現場に岩石などの大きな重量物２がなくても、捕捉体３１を設置することができる。さらに、河川工事などによる河床ａの変化（例えば、沈下）によって捕捉部３や敷物３２の位置がずれても、このずれに伴って連結部材４が追従しやすいので、このずれに伴って生じる歪を抑制することができる。そのため、捕捉体３１の寿命を延ばすことができる。
【００９５】
第３実施形態の捕捉体３１の設置方法によれば、上記埋設工程において、河床ａにおける捕捉部３よりも上流側の位置に敷物３２を埋設している。そのため、流木などの流動物の衝突や流体力による外力が敷物３２から離れる方向に捕捉部３に作用しやすくなるので、敷物３２は、捕捉部３を連結部材４によって引っ張った状態で支えることができる。そのため、捕捉部３の位置がずれにくくなり、捕捉部３の設置状態が安定化する。
【００９６】
次に、第３実施形態の変形例について説明する。
【００９７】
第３実施形態の捕捉体の設置方法では、上記埋設工程において、敷物３２は、捕捉部３よりも上流側に埋設されたが、河川の流れ方向と直交する方向（図１１では左右方向）において捕捉部３と重なる位置に埋設されてもよい。
【００９８】
第３実施形態の捕捉体３１の設置方法では、上記連結工程において、捕捉部３と敷物３２とが連結部材４によって連結されたが、図１２に示すように、さらに、敷物３２とは別の第２の敷物３３と捕捉部３とを第２連結部材２２によって連結してもよい。この場合、第２の敷物３３は、上記埋設工程において、敷物３２と同様の方法により、河床ａに埋設される。
【００９９】
このようにすると、捕捉部３は、敷物３２に加えて第２の敷物３３によっても支えられるので、捕捉部３に作用する外力が大きくても、捕捉部３は流されにくくなる。そのため、捕捉部３の設置状態が安定化する。この変形例の捕捉体の設置方法は、特に、河川の流体力が大きい場合に好ましい。
【０１００】
第３実施形態の捕捉体の設置方法では、上記連結工程において、捕捉部３と敷物３２とが連結部材４によって連結されたが、図１３に示すように、捕捉部３とは別の捕捉部であって、河川の上流から流されてくる流動物を捕捉する第２の捕捉部２３と敷物３２とを第２連結部材２２によってさらに連結してもよい。この場合は、第２の捕捉部２３は、上記捕捉部載置工程において、捕捉部３と同様の方法により、河床ａに載置される。
【０１０１】
このようにすると、捕捉部３と第２の捕捉部２３とに作用する外力が敷物３２によって支えられるので、捕捉部３と第２の捕捉部２３を足し合わせた設置数に対して敷物３２の設置数が少ない。そのため、より短期間かつ低コストで捕捉体を設置することができる。この変形例の捕捉体の設置方法は、特に、河川の流体力が小さい場合に好ましい。
【符号の説明】
【０１０２】
１          捕捉体
２          重量物
３          捕捉部
４          連結部材
２１        第２の重量物
２２        第２連結部材
２３        第２の捕捉部
３２        敷物
３３        第２の敷物
ａ          河床
【図１】
2020016070.tif 000003
【図２】
2020016070.tif 000004
【図３】
2020016070.tif 000005
【図４】
2020016070.tif 000006
【図５】
2020016070.tif 000007
【図６】
2020016070.tif 000008
【図７】
2020016070.tif 000009
【図８】
2020016070.tif 000010
【図９】
2020016070.tif 000011
【図１０】
2020016070.tif 000012
【図１１】
2020016070.tif 000013
【図１２】
2020016070.tif 000014
【図１３】
2020016070.tif 000015